Podtech/llm-jp-corpus-v4-ja_patent huggingface dataset:
【手続補正書】
【提出日】令和3年10月25日(2021.10.25)
【手続補正１】
【補正対象書類名】特許請求の範囲
【補正対象項目名】全文
【補正方法】変更
【補正の内容】
【特許請求の範囲】
【請求項１】
所定条件の成立に基づき実行されるゲームの結果が特別結果となった場合に、変動入賞装置を遊技球が入賞しやすい状態に変換する特別遊技状態を発生可能な遊技機において、
払い出される遊技球数を報知する球数報知表示を表示装置に表示する第１表示制御手段と、
遊技球の払い出しを停止させるエラーが発生したことを報知するエラー表示を前記表示装置に表示する第２表示制御手段と、
前記球数報知表示と前記エラー表示とは同時に表示可能であり、
前記球数報知表示よりも、前記エラー表示の方が表示の優先順位が高く、
前記球数報知表示は、前記特別遊技状態中に表示され、当該特別遊技状態が終了すると非表示となり、
前記エラー表示は、前記特別遊技状態中に表示可能であり、当該特別遊技状態の終了後も表示可能であることを特徴とする遊技機。
【請求項２】
所定条件の成立に基づき実行されるゲームの結果が特別結果となった場合に、変動入賞装置を遊技球が入賞しやすい状態に変換する特別遊技状態を発生可能な遊技機において、
払い出される遊技球数を報知する球数報知表示を表示装置に表示する第１表示制御手段と、
遊技球の払い出しを停止させるエラーが発生したことを報知するエラー表示を前記表示装置に表示する第２表示制御手段と、
前記特別遊技状態の終了後に、前記特別遊技状態と異なる特定遊技状態を発生可能であり、
前記球数報知表示と前記エラー表示とは同時に表示可能であり、
前記球数報知表示よりも、前記エラー表示の方が表示の優先順位が高く、
前記球数報知表示は、前記特定遊技状態中に表示され、当該特定遊技状態が終了すると非表示となり、
前記エラー表示は、前記特定遊技状態中に表示可能であり、当該特定遊技状態の終了後も表示可能であることを特徴とする遊技機。
【手続補正２】
【補正対象書類名】明細書
【補正対象項目名】０００４
【補正方法】変更
【補正の内容】
【０００４】
本発明の目的は、遊技球の払い出しを停止させるエラーの発生による遊技者の不利益を回避可能な遊技機を提供することである。
【手続補正書】
【提出日】令和3年7月26日(2021.7.26)
【手続補正１】
【補正対象書類名】明細書
【補正対象項目名】０００５
【補正方法】変更
【補正の内容】
【０００５】
上記目的を達成するために、以下に示すような、遊技機が提供される。遊技機は、遊技性能を設定可能な設定手段と、前記設定手段による設定可能状態の検出時に所定の出力時間を担保してセキュリティ信号を出力するセキュリティ信号出力手段と、前記設定可能状態中に電源遮断を検出したときに、電源復旧後に前記セキュリティ信号出力手段に前記セキュリティ信号を出力させる制御手段と、を含む。
【手続補正２】
【補正対象書類名】特許請求の範囲
【補正対象項目名】全文
【補正方法】変更
【補正の内容】
【特許請求の範囲】
【請求項１】
遊技性能を設定可能な設定手段と、
前記設定手段による設定可能状態の検出時に所定の出力時間を担保してセキュリティ信号を出力するセキュリティ信号出力手段と、
前記設定可能状態中に電源遮断を検出したときに、電源復旧後に前記セキュリティ信号出力手段に前記セキュリティ信号を出力させる制御手段と、を含む遊技機。
【手続補正書】
【提出日】令和3年8月16日(2021.8.16)
【手続補正１】
【補正対象書類名】明細書
【補正対象項目名】０００１
【補正方法】変更
【補正の内容】
【０００１】
本発明は、遊技機に関する。
【手続補正２】
【補正対象書類名】明細書
【補正対象項目名】０００４
【補正方法】変更
【補正の内容】
【０００４】
本発明の目的は、報知表示を好適に表示することが可能な遊技機を提供することである。
【手続補正３】
【補正対象書類名】明細書
【補正対象項目名】０００５
【補正方法】変更
【補正の内容】
【０００５】
以上の課題を解決するため、請求項１に記載の発明は、
識別情報を変動表示した後に停止表示するゲームを行う表示装置を備えた遊技機において、
当該遊技機に対する所定の介入に対応する報知として、第１報知表示を前記表示装置に表示する報知を実行可能な報知手段を備え、
前記第１報知表示は、前記変動表示の実行中に表示可能である一方、前記表示装置に停電復旧画面が表示されている場合に非表示となることを特徴とする。
【手続補正４】
【補正対象書類名】特許請求の範囲
【補正対象項目名】全文
【補正方法】変更
【補正の内容】
【特許請求の範囲】
【請求項１】
識別情報を変動表示した後に停止表示するゲームを行う表示装置を備えた遊技機において、
当該遊技機に対する所定の介入に対応する報知として、第１報知表示を前記表示装置に表示する報知を実行可能な報知手段を備え、
前記第１報知表示は、前記変動表示の実行中に表示可能である一方、前記表示装置に停電復旧画面が表示されている場合に非表示となることを特徴とする遊技機。
【手続補正書】
【提出日】令和3年6月24日(2021.6.24)
【手続補正１】
【補正対象書類名】明細書
【補正対象項目名】０００４
【補正方法】変更
【補正の内容】
【０００４】
しかしながら、遊技機は、必ずしもＲＡＭ（バックアップ記憶領域）の保護を必要とせずに再起動をおこなう場合がある。
【手続補正２】
【補正対象書類名】明細書
【補正対象項目名】０００５
【補正方法】変更
【補正の内容】
【０００５】
１つの側面では、本発明は、プログラム暴走の危険を低減できる遊技機を提供することを目的とする。
【手続補正３】
【補正対象書類名】明細書
【補正対象項目名】０００６
【補正方法】変更
【補正の内容】
【０００６】
上記目的を達成するために、以下に示すような、遊技機が提供される。
電源断の発生を待機する第１の待機処理と、電源断の発生を待機する前記第１の待機処理と異なる第２の待機処理と、を実行可能な制御部を備え、前記制御部は、記憶部の異常を検出せず遊技に関する処理を実行したときに前記第１の待機処理を実行し、前記記憶部の異常を検出したときに前記第２の待機処理を実行する。
【手続補正４】
【補正対象書類名】明細書
【補正対象項目名】０００７
【補正方法】変更
【補正の内容】
【０００７】
１態様によれば、遊技機において、プログラム暴走の危険を低減できる。
【手続補正５】
【補正対象書類名】特許請求の範囲
【補正対象項目名】全文
【補正方法】変更
【補正の内容】
【特許請求の範囲】
【請求項１】
電源断の発生を待機する第１の待機処理と、電源断の発生を待機する前記第１の待機処理と異なる第２の待機処理と、を実行可能な制御部を備え、
前記制御部は、記憶部の異常を検出せず遊技に関する処理を実行したときに前記第１の待機処理を実行し、前記記憶部の異常を検出したときに前記第２の待機処理を実行する、
遊技機。
【手続補正書】
【提出日】令和3年4月26日(2021.4.26)
【手続補正１】
【補正対象書類名】明細書
【補正対象項目名】０００２
【補正方法】変更
【補正の内容】
【０００２】
主制御基板（主制御手段）の制御負担をサブ制御基板（従制御手段）に分散させて主制御基板に搭載されるプログラム容量やデータ容量を減少させて主制御基板のプログラム開発を容易にすることができる遊技機がある。
【手続補正２】
【補正対象書類名】明細書
【補正対象項目名】０００３
【補正方法】変更
【補正の内容】
【０００３】
【特許文献１】特開２００１−１８７２２１号公報
【手続補正３】
【補正対象書類名】明細書
【補正対象項目名】０００４
【補正方法】変更
【補正の内容】
【０００４】
ところが、従制御手段のプログラム開発においても負担軽減が求められている。
【手続補正４】
【補正対象書類名】明細書
【補正対象項目名】０００５
【補正方法】変更
【補正の内容】
【０００５】
１つの側面では、本発明は、従制御手段におけるプログラムの開発負担を軽減できる遊技機を提供することを目的とする。
【手続補正５】
【補正対象書類名】明細書
【補正対象項目名】０００６
【補正方法】変更
【補正の内容】
【０００６】
上記目的を達成するために、代表的な一形態では、主制御手段と、主制御手段の指令にもとづいて演出制御をおこなう従制御手段とを備え、従制御手段は、演出の振分を規定するテーブルデータを記憶する記憶部と、演出振分を実行可能な制御部と、を含み、演出には、遊技者が操作可能な操作手段に関する演出が含まれることを特徴とする。
【手続補正６】
【補正対象書類名】明細書
【補正対象項目名】０００７
【補正方法】変更
【補正の内容】
【０００７】
１態様によれば、遊技機において、従制御手段におけるプログラムの開発負担を軽減できる。
【手続補正７】
【補正対象書類名】特許請求の範囲
【補正対象項目名】全文
【補正方法】変更
【補正の内容】
【特許請求の範囲】
【請求項１】
主制御手段と、前記主制御手段の指令にもとづいて演出制御をおこなう従制御手段とを備え、
前記従制御手段は、
演出の振分を規定するテーブルデータを記憶する記憶部と、
演出振分を実行可能な制御部と、を含み、
前記演出には、遊技者が操作可能な操作手段に関する演出が含まれることを特徴とする遊技機。
【手続補正書】
【提出日】令和3年4月19日(2021.4.19)
【手続補正１】
【補正対象書類名】明細書
【補正対象項目名】０００１
【補正方法】変更
【補正の内容】
【０００１】
本発明は、遊技機に関する。
【手続補正２】
【補正対象書類名】明細書
【補正対象項目名】０００４
【補正方法】削除
【補正の内容】
【手続補正３】
【補正対象書類名】明細書
【補正対象項目名】０００５
【補正方法】変更
【補正の内容】
【０００５】
本発明は、遊技の興趣を向上させることを目的とする。
【手続補正４】
【補正対象書類名】明細書
【補正対象項目名】０００６
【補正方法】変更
【補正の内容】
【０００６】
本発明の代表的な一形態では、遊技に関する設定に応じた設定値に基づいて当該遊技の結果を制御可能な遊技制御手段と、演出を実行可能な演出手段と、前記演出手段を制御可能な演出制御手段と、を備えた遊技機において、前記遊技制御手段は、所定の移行条件を満たしている場合に前記設定値が設定可能な状態に移行可能であるとともに、所定の表示手段に、前記設定値に関する情報又は所定の条件を満たす遊技媒体によって得られた遊技媒体数の割合に関連する情報を表示可能である。
【手続補正５】
【補正対象書類名】明細書
【補正対象項目名】０００７
【補正方法】変更
【補正の内容】
【０００７】
本発明の一形態によれば、遊技の興趣を向上させることができる。
【手続補正６】
【補正対象書類名】特許請求の範囲
【補正対象項目名】全文
【補正方法】変更
【補正の内容】
【特許請求の範囲】
【請求項１】
遊技に関する設定に応じた設定値に基づいて当該遊技の結果を制御可能な遊技制御手段と、演出を実行可能な演出手段と、前記演出手段を制御可能な演出制御手段と、を備えた遊技機において、
前記遊技制御手段は、
所定の移行条件を満たしている場合に前記設定値が設定可能な状態に移行可能であるとともに、
所定の表示手段に、前記設定値に関する情報又は所定の条件を満たす遊技媒体によって得られた遊技媒体数の割合に関連する情報を表示可能であることを特徴とする遊技機。
【手続補正書】
【提出日】令和3年2月24日(2021.2.24)
【手続補正１】
【補正対象書類名】特許請求の範囲
【補正対象項目名】全文
【補正方法】変更
【補正の内容】
【特許請求の範囲】
【請求項１】
放射線治療装置であって、
治療対象の載置された天板を所定の治療場所へ移動させる治療台と、
前記天板の移動方向と異なる方向から前記所定の治療場所へ移動し、前記治療対象を撮影する撮影装置と、
前記治療台と前記撮影装置との間に設けられ、放射線の照射方向に伸縮可能で、前記治療対象へ放射線を照射させる照射装置と
を備え、
前記照射装置は、
前記撮影装置が前記所定の治療場所に移動するとき、所定の退避位置へ退避し、
前記治療対象へ放射線を照射するとき、所定の照射位置まで移動する、
放射線治療装置。
【請求項２】
前記所定の治療場所は、前記撮影装置の撮影領域内部である、
請求項１に記載の放射線治療装置。
【請求項３】
前記照射装置は、放射線を照射するノズル部を伸縮させることにより、前記ノズル部を前記所定の退避位置と前記所定の照射位置との間で移動させる、
請求項１に記載の放射線治療装置。
【請求項４】
前記ノズル部は、伸縮可能なベローズ管と、前記ベローズ管の先端に設けられた放射線の監視および調整機器とを含む、
請求項３に記載の放射線治療装置。
【請求項５】
前記ノズル部は、伸縮不能な単管と、前記単管の先端側に離間して設けられ、前記所定の退避位置と前記所定の照射位置との間で移動可能な、放射線の監視および調整機器とを含む、
請求項３に記載の放射線治療装置。
【請求項６】
前記照射装置は、所定の角度で前記退避位置へ移動される、
請求項１に記載の放射線治療装置。
【請求項７】
前記所定の角度は、前記撮影装置の上方に前記照射装置が位置する角度である、
請求項６に記載の放射線治療装置。
【請求項８】
粒子線治療装置は、前記照射装置が取付けられ、前記治療対象の周囲を回転する回転ガントリをさらに備え、
前記治療台は、前記回転ガントリの外側に位置し、前記回転ガントリの入口から前記回転ガントリ内へ出入り可能となっており、
前記撮影装置は、前記回転ガントリ内の奥側に位置して移動可能に設けられている、
請求項１に記載の放射線治療装置。
【請求項９】
粒子線治療装置は、前記照射装置が取付けられ、前記治療対象の周囲を回転する回転ガントリをさらに備え、
前記撮影装置は、前記回転ガントリの外側に位置して、前記回転ガントリの入口から前記回転ガントリ内へ出入り可能となっており、
前記治療台は、前記回転ガントリ内の奥側に位置して移動可能に設けられている、
請求項１に記載の放射線治療装置。
【請求項１０】
粒子線治療装置は、前記照射装置が取付けられ、前記治療対象の周囲を回転する回転ガントリをさらに備え、
前記回転ガントリは、
回転胴と、
前記回転胴の内側に位置し、前記回転胴とともに回転し、前記所定の治療場所を形成する放射線治療ケージと、
前記回転胴の内側に位置し、前記回転胴と逆方向に回転し、前記撮影装置の退避場所を形成する静止リングとを備える、
請求項１に記載の放射線治療装置。
【請求項１１】
粒子線治療装置は、前記照射装置が取付けられ、前記照射装置が３６０°未満の角度で前記治療対象の周囲を回転するハーフガントリをさらに備え、
前記撮影装置は、前記ハーフガントリの回転軸方向の外側に位置して、前記ハーフガントリ内の所定の治療場所へ出入り可能に設けられており、
前記治療台は、前記ハーフガントリの周方向に形成された開口部から前記所定の治療場所へ出入り可能となっている、
請求項１に記載の放射線治療装置。
【請求項１２】
計算機を用いて放射線治療装置を制御する方法であって、
前記放射線治療装置は、
治療対象の載置された天板を所定の治療場所へ移動させる治療台と、
前記天板の移動方向と異なる方向から前記所定の治療場所へ移動し、前記治療対象を撮影する撮影装置と、
前記治療台と前記撮影装置との間に設けられ、放射線の照射方向に伸縮可能で、前記治療対象へ放射線を照射させる照射装置とを備え、
前記計算機は、
前記治療台に対して、前記天板を前記所定の治療場所へ移動させるよう指示し、
前記照射装置に対して、退避するよう指示し、
前記撮影装置に対して、所定の待機場所から前記所定の治療場所へ移動するよう指示し、
前記撮影装置により診断対象を撮影させ、
前記撮影装置から前記診断対象の画像データを取得し、
前記撮影装置に対して、前記所定の治療場所から前記所定の待機場所へ移動するよう指示し、
前記照射装置に対して、前記所定の照射位置へ移動するよう指示し、
前記照射装置に対して、前記画像データに基づいて作成された治療計画にしたがって前記照射装置から前記治療対象へ放射線を照射させるよう指示する、
放射線治療装置の制御方法。
【手続補正書】
【提出日】令和3年8月23日(2021.8.23)
【手続補正１】
【補正対象書類名】特許請求の範囲
【補正対象項目名】全文
【補正方法】変更
【補正の内容】
【特許請求の範囲】
【請求項１】
表示手段と、
客待ち状態における客待ち演出表示と、遊技に関する設定変更操作の受付状態における設定変更操作表示とを前記表示手段に表示させる制御手段と、
を含み、
前記客待ち演出表示は、第１の情報を表示する第１期間と、第２の情報を表示する第２期間と、を含み、
前記制御手段は、
前記第１期間および前記第２期間において、前記設定変更操作表示を前記表示手段に表示しないことが可能である、
遊技機。
【手続補正２】
【補正対象書類名】明細書
【補正対象項目名】０００２
【補正方法】変更
【補正の内容】
【０００２】
客待ち状態において遊技に関する設定を受付可能な遊技機がある。
【手続補正３】
【補正対象書類名】明細書
【補正対象項目名】０００３
【補正方法】変更
【補正の内容】
【０００３】
【特許文献１】特開２０１８−０７９３８６号公報
【手続補正４】
【補正対象書類名】明細書
【補正対象項目名】０００４
【補正方法】変更
【補正の内容】
【０００４】
このような遊技機では遊技者に報知したい表示内容について効果的な報知ができなくなる場合があった。
【手続補正５】
【補正対象書類名】明細書
【補正対象項目名】０００５
【補正方法】変更
【補正の内容】
【０００５】
１つの側面では、本発明は、遊技者に対する表示内容の報知効果の低下を抑止できる遊技機を提供することを目的とする。
【手続補正６】
【補正対象書類名】明細書
【補正対象項目名】０００６
【補正方法】変更
【補正の内容】
【０００６】
上記目的を達成するために、以下に示すような、遊技機が提供される。遊技機は、表示手段と、制御手段と、を備える。制御手段は、客待ち状態における客待ち演出表示と、遊技に関する設定変更操作の受付状態における設定変更操作表示とを表示手段に表示させ、客待ち演出表示は、第１の情報を表示する第１期間と、第２の情報を表示する第２期間と、を含み、第１期間および第２期間において、設定変更操作表示を表示手段に表示しないことが可能である。
【手続補正７】
【補正対象書類名】明細書
【補正対象項目名】０００７
【補正方法】変更
【補正の内容】
【０００７】
１態様によれば、遊技者に対する表示内容の報知効果の低下を抑止できる。
【手続補正書】
【提出日】令和3年7月19日(2021.7.19)
【手続補正１】
【補正対象書類名】明細書
【補正対象項目名】０００５
【補正方法】変更
【補正の内容】
【０００５】
以上の課題を解決するため、請求項１に記載の発明は、
複数の識別情報を変動表示するゲームを実行し、当該ゲームの結果が特別結果となった場合に遊技者に有利な特別遊技状態を発生可能な遊技機において、
所定の情報を表示可能な性能表示装置と、
前記ゲームの変動パターンを選択する変動パターン選択手段と、を備え、
前記所定の情報には、ベース値または前記ゲームの結果が特別結果となる確率に係る情報を含み、
前記変動パターン選択手段は、
第１リーチ演出の実行後に第２リーチ演出を実行し、当該第２リーチ演出の実行後に第３リーチ演出を実行する第１パターンと、
前記第１リーチ演出の実行後、前記第２リーチ演出を実行せずに前記第３リーチ演出を実行する第２パターンと、
前記第１リーチ演出及び前記第２リーチ演出を実行せずに前記第３リーチ演出を実行する第３パターンと、を選択可能であり、
前記第１パターン、前記第２パターン及び前記第３パターンのうち、前記ゲームの結果が特別結果となる期待度が最も高い変動パターンは前記第３パターンであり、前記ゲームの結果が特別結果となる期待度が最も低い変動パターンは前記第２パターンであることを特徴とする。
【手続補正２】
【補正対象書類名】特許請求の範囲
【補正対象項目名】全文
【補正方法】変更
【補正の内容】
【特許請求の範囲】
【請求項１】
複数の識別情報を変動表示するゲームを実行し、当該ゲームの結果が特別結果となった場合に遊技者に有利な特別遊技状態を発生可能な遊技機において、
所定の情報を表示可能な性能表示装置と、
前記ゲームの変動パターンを選択する変動パターン選択手段と、を備え、
前記所定の情報には、ベース値または前記ゲームの結果が特別結果となる確率に係る情報を含み、
前記変動パターン選択手段は、
第１リーチ演出の実行後に第２リーチ演出を実行し、当該第２リーチ演出の実行後に第３リーチ演出を実行する第１パターンと、
前記第１リーチ演出の実行後、前記第２リーチ演出を実行せずに前記第３リーチ演出を実行する第２パターンと、
前記第１リーチ演出及び前記第２リーチ演出を実行せずに前記第３リーチ演出を実行する第３パターンと、を選択可能であり、
前記第１パターン、前記第２パターン及び前記第３パターンのうち、前記ゲームの結果が特別結果となる期待度が最も高い変動パターンは前記第３パターンであり、前記ゲームの結果が特別結果となる期待度が最も低い変動パターンは前記第２パターンであることを特徴とする遊技機。
【請求項２】
前記第１リーチ演出はノーマルリーチであり、前記第２リーチ演出は前記第１リーチ演出よりも前記期待度が高い弱ＳＰリーチであり、前記第３リーチ演出は前記第２リーチ演出よりも前記期待度が高い強ＳＰリーチであることを特徴とする請求項１に記載の遊技機。
【手続補正書】
【提出日】令和3年7月26日(2021.7.26)
【手続補正１】
【補正対象書類名】明細書
【補正対象項目名】０００１
【補正方法】変更
【補正の内容】
【０００１】
本発明は、遊技機に関する。
【手続補正２】
【補正対象書類名】明細書
【補正対象項目名】０００４
【補正方法】変更
【補正の内容】
【０００４】
しかしながら、従来の遊技機において、遊技機の管理性やメンテナンス性には向上の余地があった。
【手続補正３】
【補正対象書類名】明細書
【補正対象項目名】０００６
【補正方法】変更
【補正の内容】
【０００６】
本発明の代表的な一形態では、ゲームを実行可能な遊技機において、遊技に関する制御を行う制御手段と、遊技条件に関する設定値を設定可能な設定手段と、前記設定手段で設定された設定値に関する情報を表示可能な表示手段と、を備え、前記制御手段は、前記表示手段に当該遊技機の性能に関する情報を表示可能であることを特徴とする。
【手続補正４】
【補正対象書類名】特許請求の範囲
【補正対象項目名】全文
【補正方法】変更
【補正の内容】
【特許請求の範囲】
【請求項１】
ゲームを実行可能な遊技機において、
遊技に関する制御を行う制御手段と、
遊技条件に関する設定値を設定可能な設定手段と、
前記設定手段で設定された設定値に関する情報を表示可能な表示手段と、を備え、
前記制御手段は、前記表示手段に当該遊技機の性能に関する情報を表示可能であることを特徴とする遊技機。
【手続補正書】
【提出日】令和3年6月14日(2021.6.14)
【手続補正１】
【補正対象書類名】明細書
【補正対象項目名】０００１
【補正方法】変更
【補正の内容】
【０００１】
本発明は、ゲームの結果が特別結果となる場合に、遊技者に有利な特別遊技状態を発生可能な制御手段を備える遊技機に関する。
【手続補正２】
【補正対象書類名】明細書
【補正対象項目名】０００６
【補正方法】変更
【補正の内容】
【０００６】
本発明の代表的な一形態では、ゲームの結果が特別結果となる場合に、遊技者に有利な特別遊技状態を発生可能な制御手段を備える遊技機において、遊技に関する情報が記憶され、停電が発生しても記憶された情報の記憶保持が可能な保持記憶手段を備え、前記制御手段は、前記特別遊技状態の発生を契機に複数の信号を出力可能であり、前記特別遊技状態の発生中に停電が発生した後、復電された際の再起動処理中に、前記保持記憶手段に記憶された情報の異常を検出した場合には、当該異常を報知するためのセキュリティ信号を出力し、前記複数の信号をすべて出力しないことを特徴とする。
【手続補正３】
【補正対象書類名】明細書
【補正対象項目名】０００７
【補正方法】変更
【補正の内容】
【０００７】
本発明の一形態によれば、復電された際における遊技機に対する不正を報知することができる。
【手続補正４】
【補正対象書類名】特許請求の範囲
【補正対象項目名】全文
【補正方法】変更
【補正の内容】
【特許請求の範囲】
【請求項１】
ゲームの結果が特別結果となる場合に、遊技者に有利な特別遊技状態を発生可能な制御手段を備える遊技機において、
遊技に関する情報が記憶され、停電が発生しても記憶された情報の記憶保持が可能な保持記憶手段を備え、
前記制御手段は、
前記特別遊技状態の発生を契機に複数の信号を出力可能であり、
前記特別遊技状態の発生中に停電が発生した後、復電された際の再起動処理中に、前記保持記憶手段に記憶された情報の異常を検出した場合には、当該異常を報知するためのセキュリティ信号を出力し、前記複数の信号をすべて出力しないことを特徴とする遊技機。
【請求項２】
ゲームの結果が特別結果となる場合に、遊技者に有利な特別遊技状態を発生可能な制御手段を備える遊技機において、
遊技条件に関する設定値を設定可能な設定手段を備え、
前記制御手段は、
前記特別遊技状態の発生を契機に複数の信号を出力可能であり、
前記特別遊技状態の発生中に停電が発生した後、前記設定値が設定可能な設定可能状態において停電して復電された際の再起動処理中に、異常を報知するためのセキュリティ信号を出力し、前記複数の信号をすべて出力しないことを特徴とする遊技機。
【手続補正書】
【提出日】令和3年6月10日(2021.6.10)
【手続補正１】
【補正対象書類名】特許請求の範囲
【補正対象項目名】全文
【補正方法】変更
【補正の内容】
【特許請求の範囲】
【請求項１】
所定条件の成立に起因して、抽出した数値データに基づき、遊技者にとって有利な特別遊技に移行するか否かの当否判定を所定の当選確率にて実行する当否判定手段と、
前記当選確率が異なる予め定められた複数種類の設定値の内の任意の何れかに設定可能な設定値セット手段と、
前記設定値セット手段により設定された設定値が前記予め定められた複数種類の設定値以外の値であるか否かに因って不正があるか否かの不正判定を行う不正判定手段と、を備えた遊技機において、
前記不正判定手段は、少なくとも前記当否判定時には前記不正判定を行い、
前記不正判定により不正があるとの判定であれば、前記当否判定の結果が当選となることを阻止する当たり阻止制御手段を具備することを特徴とする遊技機。
【手続補正２】
【補正対象書類名】明細書
【補正対象項目名】０００７
【補正方法】変更
【補正の内容】
【０００７】
請求項１に記載の本発明は、所定条件の成立に起因して、抽出した数値データに基づき、遊技者にとって有利な特別遊技に移行するか否かの当否判定を所定の当選確率にて実行する当否判定手段と、
前記当選確率が異なる予め定められた複数種類の設定値の内の任意の何れかに設定可能な設定値セット手段と、
前記設定値セット手段により設定された設定値が前記予め定められた複数種類の設定値以外の値であるか否かに因って不正があるか否かの不正判定を行う不正判定手段と、を備えた遊技機において、
前記不正判定手段は、少なくとも前記当否判定時には前記不正判定を行い、
前記不正判定により不正があるとの判定であれば、前記当否判定の結果が当選となることを阻止する当たり阻止制御手段を具備することを特徴とする。
【手続補正３】
【補正対象書類名】明細書
【補正対象項目名】００１３
【補正方法】変更
【補正の内容】
【００１３】
本明細書において参考として開示する第１開示発明に係る遊技機は、所定条件の成立に起因して、抽出した数値データに基づき、遊技者にとって有利な特別遊技に移行するか否かの当否判定を所定の当選確率にて実行する当否判定手段と、
前記当選確率が異なる複数種類の設定値の内の任意の何れかに設定可能な設定値セット手段と、
前記設定値セット手段により設定された前記当選確率に係る設定内容が不正な内容でないか否かの不正判定を行う不正判定手段と、を備えた遊技機において、
前記不正判定手段は、少なくとも前記当否判定時には前記不正判定を行い、
前記不正判定により不正な内容との判定であれば、前記当否判定の結果が当選となることを阻止する当たり阻止制御手段を具備することを特徴とする。
本明細書において参考として開示する第２開示発明は、第１開示発明の遊技機において、
始動口への入球に基づいて前記数値データの抽出を行う数値データ抽出手段と、
前記抽出した数値データを保留記憶として記憶する保留記憶手段と、を備え、
前記不正判定手段は、前記数値データの抽出時に前記不正判定を行い、
前記当たり阻止制御手段は、前記不正判定により不正な内容との判定であれば、当選となる数値データ以外の数値データを前記保留記憶として前記保留記憶手段に記憶させることを特徴とする。
【手続補正４】
【補正対象書類名】明細書
【補正対象項目名】００１５
【補正方法】変更
【補正の内容】
【００１５】
本明細書において参考として開示する第３開示発明は、第１開示発明の遊技機において、
始動口への入球に基づいて前記数値データの抽出を行う数値データ抽出手段と、
前記抽出した数値データを保留記憶として記憶する保留記憶手段と、を備え、
前記不正判定手段は、前記数値データの抽出時に前記不正判定を行い、
前記当たり阻止制御手段は、前記不正判定により不正な内容との判定であれば、前記数値データを前記保留記憶として前記保留記憶手段に記憶させないことを特徴とする。
【手続補正５】
【補正対象書類名】明細書
【補正対象項目名】００１７
【補正方法】変更
【補正の内容】
【００１７】
本明細書において参考として開示する第４開示発明は、第１開示発明乃至第３開示発明のいずれか１開示発明の遊技機において、
前記数値データに係る当否判定に基づいて変動表示し、該変動表示の後に前記当否判定の結果に対応した確定図柄で停止表示して結果を報知する特別図柄と、
普図始動口への入球に基づいて普通図柄判定確率により普通図柄当たりとするか否かの普通図柄当たり判定を行う普通図柄当たり判定手段と、を備え、
前記普通図柄判定確率は、複数種類の前記設定値の何れであっても同じ確率に設定されており、
前記不正判定手段は、前記普図始動口への入球時又は前記普通図柄当たり判定時に前記不正判定を行うことを特徴とする。
【手続補正書】
【提出日】令和3年10月25日(2021.10.25)
【手続補正１】
【補正対象書類名】明細書
【補正対象項目名】０００１
【補正方法】変更
【補正の内容】
【０００１】
本発明は、遊技機に関する。
【手続補正２】
【補正対象書類名】明細書
【補正対象項目名】０００４
【補正方法】変更
【補正の内容】
【０００４】
従来の遊技機では、確率設定値が意図せずに更新されてしまう不都合があった。
本発明の目的は、意図しない確率設定値の更新を防止することである。
【手続補正３】
【補正対象書類名】明細書
【補正対象項目名】０００５
【補正方法】変更
【補正の内容】
【０００５】
以上の課題を解決するため、請求項１に記載の発明は、
ゲームを実行可能な遊技機において、
第１操作部及び第２操作部と、
前記ゲームの抽選に用いる確率値が割り当てられた確率設定値を記憶する記憶手段と、
遊技機の電源投入時における前記第１操作部及び前記第２操作部の操作に対応して、前記確率設定値を設定可能な設定可能モードに移行するモード移行手段と、
前記設定可能モード中における前記第２操作部の操作に対応して、前記記憶手段に記憶されている前記確率設定値を更新する設定手段と、を備え、
前記設定手段は、前記設定可能モード中であっても、遊技機の電源投入時から継続している前記第２操作部の操作には対応しないことを特徴とする。
【手続補正４】
【補正対象書類名】明細書
【補正対象項目名】０００６
【補正方法】変更
【補正の内容】
【０００６】
本発明によれば、意図しない確率設定値の更新を防止することができる。
【手続補正５】
【補正対象書類名】特許請求の範囲
【補正対象項目名】全文
【補正方法】変更
【補正の内容】
【特許請求の範囲】
【請求項１】
ゲームを実行可能な遊技機において、
第１操作部及び第２操作部と、
前記ゲームの抽選に用いる確率値が割り当てられた確率設定値を記憶する記憶手段と、
遊技機の電源投入時における前記第１操作部及び前記第２操作部の操作に対応して、前記確率設定値を設定可能な設定可能モードに移行するモード移行手段と、
前記設定可能モード中における前記第２操作部の操作に対応して、前記記憶手段に記憶されている前記確率設定値を更新する設定手段と、を備え、
前記設定手段は、前記設定可能モード中であっても、遊技機の電源投入時から継続している前記第２操作部の操作には対応しないことを特徴とする遊技機。
【手続補正書】
【提出日】令和3年8月2日(2021.8.2)
【手続補正１】
【補正対象書類名】明細書
【補正対象項目名】０００１
【補正方法】変更
【補正の内容】
【０００１】
本発明は、所定条件の成立に基づきゲームを実行可能な遊技機に関する。
【手続補正２】
【補正対象書類名】明細書
【補正対象項目名】０００５
【補正方法】変更
【補正の内容】
【０００５】
以上の課題を解決するため、請求項１に記載の発明は、
所定条件の成立に基づきゲームを実行可能な遊技機において、
遊技に関する制御を行う制御手段を備え、
前記制御手段は、
第１制御処理と、
前記第１制御処理にて実行する第１呼出し命令に対応して呼び出される第２制御処理と、
前記第１制御処理にて実行する第２呼出し命令に対応して呼び出される第３制御処理と、
前記第２制御処理にて実行する第３呼出し命令に対応して呼び出される第４制御処理と、
前記第３制御処理及び前記第４制御処理にて実行する第４呼出し命令に対応して呼び出される第５制御処理と、を実行可能であることを特徴とする。
【手続補正３】
【補正対象書類名】特許請求の範囲
【補正対象項目名】全文
【補正方法】変更
【補正の内容】
【特許請求の範囲】
【請求項１】
所定条件の成立に基づきゲームを実行可能な遊技機において、
遊技に関する制御を行う制御手段を備え、
前記制御手段は、
第１制御処理と、
前記第１制御処理にて実行する第１呼出し命令に対応して呼び出される第２制御処理と、
前記第１制御処理にて実行する第２呼出し命令に対応して呼び出される第３制御処理と、
前記第２制御処理にて実行する第３呼出し命令に対応して呼び出される第４制御処理と、
前記第３制御処理及び前記第４制御処理にて実行する第４呼出し命令に対応して呼び出される第５制御処理と、を実行可能であることを特徴とする遊技機。
【請求項２】
前記制御手段は、
前記第３制御処理及び前記第４制御処理にて実行する第５呼出し命令に対応して呼び出される第６制御処理を実行可能であることを特徴とする請求項１に記載の遊技機。
【手続補正書】
【提出日】令和3年9月21日(2021.9.21)
【手続補正１】
【補正対象書類名】明細書
【補正対象項目名】０００１
【補正方法】変更
【補正の内容】
【０００１】
本発明は、遊技機に関する。
【手続補正２】
【補正対象書類名】明細書
【補正対象項目名】０００５
【補正方法】変更
【補正の内容】
【０００５】
以上の課題を解決するため、請求項１に記載の発明は、
所定条件の成立に基づきゲームを実行可能な遊技機において、
遊技に関する制御を行う制御手段を備え、
前記制御手段は、
複数のレジスタを備える演算処理手段と、
制御に関する情報を記憶可能な記憶手段と、を備え、
一の制御処理が、他の制御処理にて実行される呼出し命令に対応して呼び出される関係にある場合に、前記一の制御処理が前記他の制御処理に返す戻り値を前記レジスタに格納する際には、複数の前記レジスタの各々に予め定められた順位に従って前記戻り値を格納することを特徴とする。
【手続補正３】
【補正対象書類名】特許請求の範囲
【補正対象項目名】全文
【補正方法】変更
【補正の内容】
【特許請求の範囲】
【請求項１】
所定条件の成立に基づきゲームを実行可能な遊技機において、
遊技に関する制御を行う制御手段を備え、
前記制御手段は、
複数のレジスタを備える演算処理手段と、
制御に関する情報を記憶可能な記憶手段と、を備え、
一の制御処理が、他の制御処理にて実行される呼出し命令に対応して呼び出される関係にある場合に、前記一の制御処理が前記他の制御処理に返す戻り値を前記レジスタに格納する際には、複数の前記レジスタの各々に予め定められた順位に従って前記戻り値を格納することを特徴とする遊技機。
【手続補正書】
【提出日】令和3年6月21日(2021.6.21)
【手続補正１】
【補正対象書類名】特許請求の範囲
【補正対象項目名】全文
【補正方法】変更
【補正の内容】
【特許請求の範囲】
【請求項１】
所定条件の成立に基づきゲームを実行し、当該ゲームの結果が特別結果となった場合に、遊技者に有利な状態を発生する遊技機において、
前記ゲームに関連して演出を実行可能な制御手段を備え、
前記制御手段は、
第１所定演出と、当該第１所定演出の後に開始される第２所定演出と、を実行する複数の演出パターンのうちから一の演出パターンを選択して実行することが可能であり、
前記複数の演出パターンには第１演出と、当該第１演出とは前記第２所定演出への移行タイミングが異なる第２演出と、があり、
前記ゲームの結果が前記特別結果となる場合の前記第１演出の選択確率を、前記第２演出の選択確率よりも高くしたことを特徴とする遊技機。
【手続補正２】
【補正対象書類名】明細書
【補正対象項目名】０００５
【補正方法】変更
【補正の内容】
【０００５】
以上の課題を達成するため、請求項１に記載の発明は、
所定条件の成立に基づきゲームを実行し、当該ゲームの結果が特別結果となった場合に、遊技者に有利な状態を発生する遊技機において、
前記ゲームに関連して演出を実行可能な制御手段を備え、
前記制御手段は、
第１所定演出と、当該第１所定演出の後に開始される第２所定演出と、を実行する複数の演出パターンのうちから一の演出パターンを選択して実行することが可能であり、
前記複数の演出パターンには第１演出と、当該第１演出とは前記第２所定演出への移行タイミングが異なる第２演出と、があり、
前記ゲームの結果が前記特別結果となる場合の前記第１演出の選択確率を、前記第２演出の選択確率よりも高くしたことを特徴とする。
【手続補正書】
【提出日】令和3年8月23日(2021.8.23)
【手続補正１】
【補正対象書類名】特許請求の範囲
【補正対象項目名】全文
【補正方法】変更
【補正の内容】
【特許請求の範囲】
【請求項１】
ゲームの結果が特別結果となった場合に、遊技者に有利な状態を発生する遊技機において、
前記ゲームに関連して演出を実行可能な演出制御手段を備え、
前記演出制御手段は、
特定演出を実行可能な複数の演出パターンのうちから一の演出パターンを選択して実行することが可能であり、
前記複数の演出パターンには第１演出と、当該第１演出とは前記特定演出の実行タイミングが異なる第２演出と、
を含むことを特徴とする遊技機。
【手続補正２】
【補正対象書類名】明細書
【補正対象項目名】０００５
【補正方法】変更
【補正の内容】
【０００５】
以上の課題を達成するため、請求項１に記載の発明は、
ゲームの結果が特別結果となった場合に、遊技者に有利な状態を発生する遊技機において、
前記ゲームに関連して演出を実行可能な演出制御手段を備え、
前記演出制御手段は、
特定演出を実行可能な複数の演出パターンのうちから一の演出パターンを選択して実行することが可能であり、
前記複数の演出パターンには第１演出と、当該第１演出とは前記特定演出の実行タイミングが異なる第２演出と、
を含むことを特徴とする。
【手続補正書】
【提出日】令和3年9月22日(2021.9.22)
【手続補正１】
【補正対象書類名】明細書
【補正対象項目名】００２４
【補正方法】変更
【補正の内容】
【００２４】
リザーバ２０は、灌流液を貯留する容器である。リザーバ２０の周囲には、温度調整機構２１およびガス交換機構２２が備えられる。本実施形態の灌流液には、ＥＴＫ液が用いられる。なお、灌流液には、ＵＷ液等のその他の種類の灌流液が用いられてもよい。
【手続補正書】
【提出日】令和3年1月12日(2021.1.12)
【手続補正１】
【補正対象書類名】特許請求の範囲
【補正対象項目名】全文
【補正方法】変更
【補正の内容】
【特許請求の範囲】
【請求項１】
以下を含む炭化ケイ素の製造方法：
ａ．シリコン、炭素および酸素を含み、溶剤を含まないポリシロカルブ前駆物質配合物である液体を提供すること；
ｂ．該液体を硬化して、シリコン、炭素および酸素から本質的に成る硬化物を提供すること；
ｃ．１５０℃未満の温度で硬化物を保持すること；
ｄ．シリコン、炭素および酸素から本質的に成るセラミック材料へ硬化物を変換すること；および
ｅ．セラミック材料から酸素を本質的にすべて取り除くこと；それにより少なくとも９９．９９％の純度である炭化ケイ素を提供する。
【請求項２】
該液体は、５０％から６５％の炭素、２０％から３０％の酸素、１５％から２０％のシリコンのモル比を有するポリシロカルブ前駆物質配合物である、請求項１記載の方法。
【請求項３】
ＣＯを生産することを含む、請求項１記載の方法。
【請求項４】
炭化ケイ素が生成され、該炭化ケイ素は少なくとも９９．９９９９％の純度である、請求項１記載の方法。
【請求項５】
炭化ケイ素が生成され、該炭化ケイ素は１００ｐｐｍ未満のＡｌを含む、請求項１記載の方法。
【請求項６】
炭化ケイ素が生成され、該炭化ケイ素は１０ｐｐｍ未満のＡｌを含む、請求項１記載の方法。
【請求項７】
炭化ケイ素が生成され、該炭化ケイ素は１ｐｐｍ未満のＡｌを含む、請求項４記載の方法。
【請求項８】
炭化ケイ素が生成され、該炭化ケイ素は１００ｐｐｍ未満のＢを含む、請求項１記載の方法。
【請求項９】
炭化ケイ素が生成され、該炭化ケイ素は１０ｐｐｍ未満のＢを含む、請求項１記載の方法。
【請求項１０】
該炭化ケイ素は１ｐｐｍ未満のＢを含む、請求項４記載の方法。
【請求項１１】
炭化ケイ素が生成され、該炭化ケイ素は合計の元素の１０ｐｐｍ未満の、Ｔｉ、Ａｌ、Ｆｅ、Ｂ、Ｐ、Ｐｔ、Ｃａ、Ｍｇ、Ｌｉ、Ｎａ、Ｎｉ、Ｖ、Ｐｒ、Ｃｅ、Ｃｒ、ＳおよびＡｓからなる群から選択される不純物を含む、請求項1記載の方法。
【請求項１２】
炭化ケイ素が生成され、該炭化ケイ素は合計の元素の１ｐｐｍ未満の、Ｔｉ、Ａｌ、Ｆｅ、Ｂ、Ｐ、Ｐｔ、Ｃａ、Ｍｇ、Ｌｉ、Ｎａ、Ｎｉ、Ｖ、Ｃｅ、Ｃｒ、ＳおよびＡｓから選択される不純物を含む、請求項１記載の方法。
【請求項１３】
炭化ケイ素はアルファ・タイプである、請求項４記載の方法。
【請求項１４】
炭化ケイ素はベータ・タイプである、請求項４記載の方法。
【手続補正書】
【提出日】令和3年9月10日(2021.9.10)
【手続補正１】
【補正対象書類名】明細書
【補正対象項目名】発明の名称
【補正方法】変更
【補正の内容】
【発明の名称】エンドセリンＢ受容体アゴニストを用いた、神経精神疾患を治療するための組成物
【手続補正２】
【補正対象書類名】特許請求の範囲
【補正対象項目名】全文
【補正方法】変更
【補正の内容】
【特許請求の範囲】
【請求項１】
エンドセリンＢ受容体アゴニストを含有し、周生期低酸素症及び脳仮死からなる群から選択される神経精神疾患者の治療用の医薬組成物。
【請求項２】
前記エンドセリンＢ受容体アゴニストが、神経精神疾患を治療するための追加の薬剤と共に投与される、請求項１に記載の医薬組成物。
【請求項３】
前記追加の薬剤が、抗うつ剤、抗炎症剤、ＣＮＳ興奮剤、神経安定剤、及び抗増殖剤からなる群から選択される、請求項２に記載の医薬組成物。
【請求項４】
前記エンドセリンＢ受容体アゴニストは、ＩＲＬ−１６２０、ＢＱ−３０２０、［Ａｌａ１，３，１１，１５］−エンドセリン、サラホトキシンＳ６ｃ、エンドセリン３、及びそれらの混合物からなる群から選択される、請求項１に記載の医薬組成物。
【請求項５】
前記エンドセリンＢ受容体アゴニストが、０．０００２〜０．０００５ｍｇ／ｋｇの投与量範囲で投与される、請求項１に記載の医薬組成物。
【請求項６】
前記エンドセリンＢ受容体アゴニストが、２〜５日毎後、１〜６時間の間隔で繰り返し投与される、請求項１に記載の医薬組成物。
【請求項７】
前記エンドセリンＢ受容体アゴニストが、ＩＲＬ−１６２０である、請求項１に記載の医薬組成物。
【請求項８】
ＩＲＬ−１６２０を３回投与する、請求項７に記載の医薬組成物。
【請求項９】
前記エンドセリンＢ受容体アゴニストが、０．０００１〜０．５ｍｇ／ｋｇの投与量範囲で投与される、請求項１に記載の医薬組成物。
【手続補正書】
【提出日】令和3年6月25日(2021.6.25)
【手続補正１】
【補正対象書類名】特許請求の範囲
【補正対象項目名】全文
【補正方法】変更
【補正の内容】
【特許請求の範囲】
【請求項１】
配列番号１のアミノ酸１〜２５１に対して少なくとも９０％の同一性を有するアミノ酸配列を含む志賀毒素エフェクターポリペプチドであって、
前記ポリペプチドが、カルボキシ末端を有する志賀毒素Ａ１断片領域、及び、
前記志賀毒素Ａ１断片領域の前記カルボキシ末端における破壊されたフーリン切断モチーフを含み、かつ前記フーリン切断モチーフが、アミノ酸置換Ｒ２４８Ａ及びＲ２５１Ａを有し、
前記アミノ酸配列が、
i）配列番号１のアミノ酸位置５３〜６６に組み込まれ、Ｖ５４Ｉ、Ｒ５５Ｌ、Ｉ５７Ｆ、Ｐ５９Ｆ、Ｅ６０Ｔ、及びＥ６１Ｌに変異した残基を有する、異種ＣＤ８＋Ｔ細胞エピトープ；
ii)Ｓ４５Ｉ、Ｇ１１０Ａ及びＲ１８８Ａに変異；並びに
iii)変異Ｃ２４２Ｓ
を含み、
前記アミノ酸配列が、
配列番号１の位置７５に対応するアミノ酸残基にアスパラギン、
配列番号１の位置７７に対応するアミノ酸残基にチロシン、
配列番号１の位置１１４に対応するアミノ酸残基にチロシン、
配列番号１の位置１６７に対応するアミノ酸残基にグルタミン酸、
配列番号１の位置１７０に対応するアミノ酸残基にアルギニン、
配列番号１の位置１７６に対応するアミノ酸残基にアルギニン、及び
配列番号１の位置２０３に対応するアミノ酸残基にトリプトファン
を含む、前記志賀毒素エフェクターポリペプチド。
【請求項２】
アミノ酸配列が、配列番号１のアミノ酸１〜２５１に対して少なくとも９５％の配列同一性を有する、請求項１に記載の志賀毒素エフェクターポリペプチド。
【請求項３】
ｉ）細胞の細胞表面に物理的に結合している細胞外標的生体分子に特異的に結合することができる結合領域、及び
ii）請求項１又は２に記載の志賀毒素エフェクターポリペプチド
を含む、細胞標的化分子。
【請求項４】
結合領域が、志賀毒素エフェクターポリペプチドのカルボキシ末端に融合されて、単一の連続的なポリペプチドを形成する、請求項３に記載の細胞標的化分子。
【請求項５】
結合領域が免疫グロブリン型の結合領域を含む、請求項３又は４に記載の細胞標的化分子。
【請求項６】
免疫グロブリン型の結合領域が、単一ドメイン抗体断片、一本鎖可変断片、抗体可変断片、相補性決定領域３断片、拘束ＦＲ３−ＣＤＲ３−ＦＲ４ポリペプチド、Ｆｄ断片、抗原結合断片、フィブロネクチン由来第１０フィブロネクチンIII型ドメイン、テネイシンIII型ドメイン、アンキリン反復モチーフドメイン、低密度リポタンパク質受容体由来Ａドメイン、リポカリン、クニッツドメイン、プロテインＡ由来Ｚドメイン、ガンマ−Ｂ結晶由来ドメイン、ユビキチン由来ドメイン、Ｓａｃ７ｄ由来ポリペプチド、Ｆｙｎ由来ＳＨ２ドメイン、ミニタンパク質、Ｃ型レクチン様ドメイン足場、ラクダ科動物のＶＨＨ断片由来の重鎖抗体ドメイン、軟骨魚類由来の重鎖抗体ドメイン、免疫グロブリン新規抗原受容体（ＩｇＮＡＲ）、ＶＮＡＲ断片、多量体ｓｃＦｖ断片（二重特異性抗体、三重特異性抗体、四重特異性抗体）、２価ミニボディ、二重特異性タンデムｓｃＦｖ、二重特異性タンデムＶＨＨ、及び二重特異性のミニボディから選択されるポリペプチドを含む、
請求項５に記載の細胞標的化分子。
【請求項７】
配列番号５４０〜５４３、５４４〜５５０、又は５５３〜５５９に示されるリンカーペプチドを含む、請求項３〜６のいずれかに記載の細胞標的化分子。
【請求項８】
配列番号５４０〜５４３、又は５５３〜５５７に示されるリンカーペプチドを含む、請求項３〜６のいずれかに記載の細胞標的化分子。
【請求項９】
請求項３〜８のいずれかに記載の細胞標的化分子、及び薬学的に許容される賦形剤又は担体を含む、医薬組成物。
【請求項１０】
請求項３〜８のいずれかに記載の細胞標的化分子をコードすることができるポリヌクレオチド、又はその相補体。
【請求項１１】
請求項１０に記載のポリヌクレオチドを含む、発現ベクター。
【請求項１２】
請求項１０に記載のポリヌクレオチド又は請求項１１に記載の発現ベクターを含む、宿主細胞。
【手続補正書】
【提出日】令和3年6月15日(2021.6.15)
【手続補正１】
【補正対象書類名】特許請求の範囲
【補正対象項目名】全文
【補正方法】変更
【補正の内容】
【特許請求の範囲】
【請求項１】
パラシュートと、
前記パラシュートを収容するパラシュート収容部と、
前記パラシュートに連結された少なくとも一つの飛翔体と、
前記飛翔体を保持し、保持した前記飛翔体を射出するための筒状の射出部と、
ガスを発生するガス発生装置と、
少なくとも一部が前記射出部内に挿通可能にされ、前記ガス発生装置から発生したガスの圧力を受けて前記飛翔体を前記射出部から押し出す押出部材と、
前記押出部材の移動範囲を制限する移動制限部と、を備え、
前記パラシュート収容部は、
周方向に連続した筒状の側壁部と、前記側壁部の一端側の開口を塞ぐように形成された底部とを有し、
前記パラシュートは、前記側壁部と前記底部とによって画成された収容空間に配置され、
前記射出部は、前記側壁部の外周面に配置されている
パラシュート装置。
【請求項２】
請求項１に記載のパラシュート装置において、
前記ガス発生装置から発生した前記ガスを前記射出部に導くガス導入路を更に備え、
前記ガス発生装置は、
前記ガスを発生するガス発生剤と、
前記ガス発生剤を収容し、前記ガス発生剤から発生した前記ガスが放出されるガス放出室を有するハウジングとを有し、
前記射出部は、一端側において前記飛翔体を保持し、他端側において前記ガス導入路を介して前記ガス放出室と連通され、
前記押出部材は、前記射出部内に収容され、
前記移動制限部は、前記射出部内における前記押出部材の移動範囲を制限する
ことを特徴とするパラシュート装置。
【請求項３】
請求項２に記載のパラシュート装置において、
前記射出部は、
第１筒状部材と、前記第１筒状部材と同軸となるように配置された第２筒状部材と、前記第１筒状部材と前記第２筒状部材との間に設けられ、前記第１筒状部材と前記第２筒状部材の互いに対面するそれぞれの端部を覆う、前記移動制限部としての仕切り部とを有し、
前記飛翔体は前記第１筒状部材に設けられ、
前記押出部材は、棒状部と、前記棒状部の一端に固定され、前記ガスの圧力を受ける受圧部とを有し、
前記仕切り部には、前記棒状部を挿通可能とし、前記受圧部を挿通不能とする貫通穴が形成されている
ことを特徴とするパラシュート装置。
【請求項４】
請求項１に記載のパラシュート装置において、
前記ガス発生装置は、
前記ガスを発生するガス発生剤と、
前記ガス発生剤を収容し、前記ガス発生剤から発生した前記ガスが放出されるガス放出室を有するハウジングとを有し、
前記押出部材は、前記ガス放出室と前記射出部との間に延在し、
前記押出部材は、一端側が前記射出部内に挿通可能にされ、柔軟性を有する棒状部と、前記棒状部の他端側に固定されるとともに前記ガス放出室内に配置され、前記ガスの圧力を受ける受圧部とを有し、
前記移動制限部は、前記ガス放出室内の前記押出部材の移動範囲を制限する
ことを特徴とするパラシュート装置。
【請求項５】
請求項４に記載のパラシュート装置において、
前記ハウジングは、前記ガス放出室を画成し、前記受圧部を移動可能に収容する筒状部を有し、
前記筒状部には、前記棒状部を挿通可能とし、前記受圧部を挿通不能とする貫通穴が形成されている
ことを特徴とするパラシュート装置。
【請求項６】
パラシュートと、
前記パラシュートを収容するパラシュート収容部と、
前記パラシュートに連結された複数の飛翔体と、
前記飛翔体毎に設けられ、対応する前記飛翔体を保持し、保持した前記飛翔体を射出するための筒状の射出部と、
ガスを発生する一つのガス発生装置と、
前記射出部毎に設けられ、少なくとも一部が対応する前記射出部内に挿通可能にされ、前記ガス発生装置から発生したガスの圧力を受けて前記飛翔体を前記射出部から押し出す押出部材と、
前記押出部材毎に設けられ、対応する前記押出部材の移動範囲を制限する移動制限部と、を備え、
前記パラシュート収容部は、
周方向に連続した筒状の側壁部と、前記側壁部の一端側の開口を塞ぐように形成された底部とを有し、
前記パラシュートは、前記側壁部と前記底部とによって画成された収容空間に配置されている
パラシュート装置。
【請求項７】
請求項６に記載のパラシュート装置において、
前記ガス発生装置から発生した前記ガスを各前記射出部に導くガス導入路を更に備え、
前記ガス発生装置は、
前記ガスを発生するガス発生剤と、
前記ガス発生剤を収容し、前記ガス発生剤から発生した前記ガスが放出されるガス放出室を有するハウジングとを有し、
前記射出部は、夫々、一端側において前記飛翔体を保持し、他端側において前記ガス導入路を介して前記ガス放出室と連通され、
前記押出部材は、対応する前記射出部内に夫々収容され、
前記移動制限部は、前記射出部内における前記押出部材の移動範囲を制限する
ことを特徴とするパラシュート装置。
【請求項８】
請求項７に記載のパラシュート装置において、
前記射出部は、
第１筒状部材と、前記第１筒状部材と同軸となるように配置された第２筒状部材と、前記第１筒状部材と前記第２筒状部材との間に設けられ、前記第１筒状部材と前記第２筒状部材の互いに対面するそれぞれの端部を覆う、前記移動制限部としての仕切り部とを夫々有し、
前記飛翔体は、対応する前記射出部の前記第１筒状部材に設けられ、
前記押出部材は、棒状部と、前記棒状部の一端に固定され、前記ガスの圧力を受ける受圧部とを夫々有し、
前記仕切り部には、対応する前記押出部材の前記棒状部を挿通可能とし、対応する前記押出部材の前記受圧部を挿通不能とする貫通穴が形成されている
ことを特徴とするパラシュート装置。
【請求項９】
請求項６に記載のパラシュート装置において、
前記ガス発生装置は、
前記ガスを発生するガス発生剤と、
前記ガス発生剤を収容し、前記ガス発生剤から発生した前記ガスが放出されるガス放出室を有するハウジングとを有し、
前記押出部材は、前記ガス放出室と、対応する前記射出部との間に延在し、
前記押出部材は、一端側が対応する前記射出部内に挿通可能にされ、柔軟性を有する棒状部と、前記棒状部の他端側に固定されるとともに前記ガス放出室内に配置され、前記ガスの圧力を受ける受圧部とを夫々有し、
前記移動制限部は、対応する前記押出部材の前記ガス放出室内における移動範囲を制限する
ことを特徴とするパラシュート装置。
【請求項１０】
請求項９に記載のパラシュート装置において、
前記ハウジングは、前記押出部材毎に設けられ、前記ガス放出室を画成し、前記受圧部を移動可能に収容する筒状部を有し、
前記筒状部には、対応する前記押出部材の前記棒状部を挿通可能とし、対応する前記押出部材の前記受圧部を挿通不能とする貫通穴が形成されている
ことを特徴とするパラシュート装置。
【請求項１１】
機体ユニットと、
前記機体ユニットに接続され、推力を発生する推力発生部と、
前記推力発生部を制御する飛行制御部と、
飛行時の異常を検出する異常検出部と、
請求項１乃至１０の何れか一項に記載のパラシュート装置と、
前記異常検出部による異常の検出に応じて、前記飛翔体を前記射出部から射出させる落下制御部と、を備える
ことを特徴とする飛行装置。
【手続補正２】
【補正対象書類名】明細書
【補正対象項目名】発明の名称
【補正方法】変更
【補正の内容】
【発明の名称】パラシュート装置および飛行装置